(57)【特許請求の範囲】
【請求項１】
着用者からの排泄物を受ける吸収性物品であって、
着用者の腹側に配置される前部吸収体と、
前記着用者の背側に配置される後部吸収体と、
前記前部吸収体および前記後部吸収体のそれぞれの外側を覆い、前記前部吸収体と前記後部吸収体との間にて前記着用者の股間部に直接対向する中央露出領域を有し、前記後部吸収体の前記中央露出領域側のエッジの少なくとも中央部を除いて前記後部吸収体の周囲と接合されることにより前記後部吸収体との間に前記中央露出領域を向く開口を有する後部ポケットを形成するバックシートと、
を備え、
前記前部吸収体の前記中央露出領域側のエッジの少なくとも中央部を除いて前記前部吸収体の周囲と前記バックシートとが接合されることにより、前記前部吸収体と前記バックシートとの間に前記中央露出領域を向く開口を有する前部ポケットが形成され、
前記後部ポケットの前記開口の一部を形成する前記後部吸収体の前記中央露出領域側の前記エッジが凹状であり、
前記前部ポケットの前記開口の一部を形成する前記前部吸収体の前記中央露出領域側の前記エッジが凹状であることを特徴とする吸収性物品。
【請求項２】
請求項１に記載の吸収性物品であって、
前記後部吸収体の前記エッジが略Ｖ字状であることを特徴とする吸収性物品。
【請求項３】
請求項１または２に記載の吸収性物品であって、
前記後部吸収体の幅方向の中央にて前記幅方向に垂直な長手方向に平行に接合され、収縮することにより前記後部吸収体の前記エッジを前記前部吸収体から離れる方向に引っ張る弾性部材をさらに備えることを特徴とする吸収性物品。
【請求項４】
請求項１ないし３のいずれかに記載の吸収性物品であって、
長手方向における前記バックシートの前記後部吸収体側の端部と前記後部吸収体の前記エッジとの間の前記長手方向の距離が、前記長手方向に垂直な幅方向の中央において１００ｍｍ以上３００ｍｍ以下であることを特徴とする吸収性物品。
【請求項５】
請求項１ないし４のいずれかに記載の吸収性物品であって、
前記後部吸収体の前記エッジと前記前部吸収体の前記中央露出領域側のエッジとの間の長手方向の距離が、前記長手方向に垂直な幅方向の中央において５０ｍｍ以上２５０ｍｍ以下であることを特徴とする吸収性物品。
【請求項６】
請求項１ないし５のいずれかに記載の吸収性物品であって、
前記後部吸収体の前記中央露出領域側の前記エッジのほぼ全体が前記バックシートに対して非接合とされることを特徴とする吸収性物品。
【請求項７】
請求項１ないし６のいずれかに記載の吸収性物品であって、
前記後部吸収体が、
幅方向の中央において前記バックシートから離間するコア中央部と、
前記コア中央部の前記幅方向の両側において前記バックシートに当接することにより前記コア中央部と前記バックシートとの離間を確保する前記コア中央部よりも厚い一対のコア側部と、
を備えることを特徴とする吸収性物品。
【請求項８】
請求項１ないし７のいずれかに記載の吸収性物品であって、
前記後部吸収体が、
後部吸収コアと、
前記後部吸収コアの前記着用者側および前記着用者とは反対側を覆う後部トップシートと、
を備え、
前記前部吸収体が、
前部吸収コアと、
前記前部吸収コアの前記着用者側および前記着用者とは反対側を覆う前部トップシートと、
を備え、
前記後部トップシートと前記前部トップシートとが、前記開口部の幅方向の両側にて連続していることを特徴とする吸収性物品。
【請求項９】
請求項１ないし８のいずれかに記載の吸収性物品であって、
前記バックシートが、
撥水性または不透液性の外装シートと、
前記外装シートの内側に積層された親水性シートと、
を備えることを特徴とする吸収性物品。
【請求項１０】
請求項１ないし９のいずれかに記載の吸収性物品であって、
前記バックシートが、
撥水性または不透液性の外装シートと、
前記外装シートの内側に積層された高吸収性樹脂層と、
を備えることを特徴とする吸収性物品。
【請求項１１】
請求項１ないし１０のいずれかに記載の吸収性物品であって、
前記バックシートの幅方向の両側において前記幅方向に垂直な長手方向のほぼ全長に亘って設けられて内側へと立ち上がる一対の側壁部をさらに備えることを特徴とする吸収性物品。
【請求項１２】
請求項１ないし１１のいずれかに記載の吸収性物品であって、
着用者が着用する外装物品の内側に取り付けられる補助吸収具であることを特徴とする吸収性物品。
【請求項１３】
着用者からの排泄物を受ける吸収性物品であって、
着用者の腹側に配置される前部吸収体と、
前記着用者の背側に配置される後部吸収体と、
前記前部吸収体および前記後部吸収体のそれぞれの外側を覆い、前記前部吸収体と前記後部吸収体との間にて前記着用者の股間部に直接対向する中央露出領域を有し、前記後部吸収体の前記中央露出領域側のエッジの少なくとも中央部を除いて前記後部吸収体の周囲と接合されることにより前記後部吸収体との間に前記中央露出領域を向く開口を有する後部ポケットを形成するバックシートと、
前記後部吸収体の幅方向の中央にて前記幅方向に垂直な長手方向に平行に接合され、収縮することにより、前記後部ポケットの前記開口の一部を形成する前記後部吸収体の前記中央露出領域側の前記エッジを前記前部吸収体から離れる方向に引っ張る弾性部材と、
を備え、
前記前部吸収体の前記中央露出領域側のエッジの少なくとも中央部を除いて前記前部吸収体の周囲と前記バックシートとが接合されることにより、前記前部吸収体と前記バックシートとの間に前記中央露出領域を向く開口を有する前部ポケットが形成され、
前記前部ポケットの前記開口の一部を形成する前記前部吸収体の前記中央露出領域側の前記エッジが凹状であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便が排泄された場合に、軟便が着用者と吸収性物品との間で広がって着用者の肌に広範囲に亘って付着することを防止するため、様々な提案が行われている。
【０００３】
例えば、特許文献１の使い捨て着用物品では、表面シート、吸収コアおよび裏面シートが積層されて形成された着装シートの股下域に厚み方向に貫通する開孔が形成されており、当該開孔全体が、裏面シート側から不透液性の被覆シートにより覆われることにより、軟便等の排泄物が収容される排泄物収容部が形成される。特許文献１の使い捨て着用品では、被覆シートの着用者側に吸水性の内装シートが設けられており、排泄物収容部に収容された軟便の水分が内装シートに吸収されることにより、軟便の流動性が低下して着用者に対する軟便の付着が抑制される。
【０００４】
特許文献２の展開型紙おむつでは、綿状パルプ等により形成された第１吸収体が、バックシート上において着用者の背側から股下を経て腹側にかけて設けられ、第１吸収体と同じく綿状パルプ等により形成された第２吸収体が、第１吸収体上において着用者の背側から股下にかけて設けられている。特許文献２の展開型紙おむつでは、第２吸収体が、股下から背側に向かって第１吸収体から離間することにより、着用者の背側において第１吸収体と第２吸収体との間に排泄物を保持するポケットが形成され、当該ポケット内に軟便等を収容することにより着用者に対する軟便等の付着が抑制される。
【０００５】
特許文献３および特許文献４の使い捨ておむつでは、着用者の背側から股下域を経て腹側にかけて設けられる液吸収性の第１パネルの着用者側に、腹側から股下域へと向かう液吸収性の第２パネル、および、背側から股下域へと向かう液吸収性の第３パネルが設けられており、第２パネルと第１パネルとの間に股下域に向かって開口する腹側のポケットが形成され、第３パネルと第１パネルとの間に股下域に向かって開口する背側のポケットが形成される。
【０００６】
特許文献３の使い捨ておむつでは、腹側のポケットの第１パネルと第２パネルとの間において左右方向（すなわち、幅方向）に伸びるとともにその両端部が両パネルの左右両側の側縁部に接合された弾性部材が設けられており、弾性部材が収縮して第１パネルおよび第２パネルが互いに離間するように屈曲することにより、ポケットの開口が大きくなって収容容積が増大される。また、背側のポケットも同様の構造とされることにより、収容容積の増大が図られている。
【０００７】
特許文献４の使い捨ておむつでは、左右方向の両側に長手方向に伸びる防漏カフが設けられており、腹側のポケットにおいて、第２パネルの股下域側の左右両側の角部が防漏カフの着用者側の端部に連結されることにより、ポケットの開口が大きくなって収容容積が増大される。また、背側のポケットも同様の構造とされることにより、収容容積の増大が図られている。
【０００８】
一方、特許文献５では、内部に空気を充填して膨張させた略Ｕ字型の排泄補助用具が開示されている。おむつの着用時には、排泄補助用具が着用者の臀部とおむつとの間に挿入され、おむつと身体との間に排泄用空間が得られる。これにより、着用者からの排泄物が確実におむつに収容され、また、便が着用者の肌に付着することが抑制される。
【特許文献１】特開２００３−２７５２４７号公報
【特許文献２】特開２００５−２７９００４号公報
【特許文献３】特許第３８１６０１２号公報
【特許文献４】特許第３９６４６２４号公報
【特許文献５】特開２００５−１４４１３０号公報
【発明の開示】
【発明が解決しようとする課題】
【０００９】
ところで、特許文献１の使い捨て着用品では、幅方向の中央部において着装シートを貫通する長手方向に細長い開孔が、排泄物の主な収容スペースとされるため、多量の排泄物を収容することができない。
【００１０】
一方、特許文献２ないし４の使い捨ておむつでは、背側から腹側までを覆う第１の吸収体上に、第２の吸収体を背側から股下にかけて設けることにより、両吸収体の間に排泄物を収容する比較的大きいポケットが形成される。しかしながら、これらの使い捨ておむつでは、着用者側に設けられる第２の吸収体が矩形状であり、ポケットの開口の一部を形成する第２の吸収体の股下側のエッジが幅方向に伸びる直線状となっているため、使い捨ておむつの装着時に当該エッジが着用者の排泄部（すなわち、肛門）よりも股下側に位置してしまい、排泄物が第２の吸収体上に排泄されてポケットに収容されない恐れがある。また、第２の吸収体のエッジを着用者の排泄部よりも背側に位置させた場合、排泄部の左右両側にはポケットが設けられないことになるため、排泄部から左右方向に広がった排泄物はポケットには収容されず着用者の肌に付着することとなる。
【００１１】
本発明は、上記課題に鑑みなされたものであり、吸収性物品において、排泄物を後部ポケットの内部空間へと容易に導くことを主な目的としている。
【課題を解決するための手段】
【００１２】
請求項１に記載の発明は、着用者からの排泄物を受ける吸収性物品であって、着用者の腹側に配置される前部吸収体と、前記着用者の背側に配置される後部吸収体と、前記前部吸収体および前記後部吸収体のそれぞれの外側を覆い、前記前部吸収体と前記後部吸収体との間にて前記着用者の股間部に直接対向する中央露出領域を有し、前記後部吸収体の前記中央露出領域側のエッジの少なくとも中央部を除いて前記後部吸収体の周囲と接合されることにより前記後部吸収体との間に前記中央露出領域を向く開口を有する後部ポケットを形成するバックシートとを備え、前記前部吸収体の前記中央露出領域側のエッジの少なくとも中央部を除いて前記前部吸収体の周囲と前記バックシートとが接合されることにより、前記前部吸収体と前記バックシートとの間に前記中央露出領域を向く開口を有する前部ポケットが形成され、前記後部ポケットの前記開口の一部を形成する前記後部吸収体の前記中央露出領域側の前記エッジが凹状であり、前記前部ポケットの前記開口の一部を形成する前記前部吸収体の前記中央露出領域側の前記エッジが凹状である。
【００１３】
請求項２に記載の発明は、請求項１に記載の吸収性物品であって、前記後部吸収体の前記エッジが略Ｖ字状である。
【００１４】
請求項３に記載の発明は、請求項１または２に記載の吸収性物品であって、前記後部吸収体の幅方向の中央にて前記幅方向に垂直な長手方向に平行に接合され、収縮することにより前記後部吸収体の前記エッジを前記前部吸収体から離れる方向に引っ張る弾性部材をさらに備える。
【００１５】
請求項４に記載の発明は、請求項１ないし３のいずれかに記載の吸収性物品であって、長手方向における前記バックシートの前記後部吸収体側の端部と前記後部吸収体の前記エッジとの間の前記長手方向の距離が、前記長手方向に垂直な幅方向の中央において１００ｍｍ以上３００ｍｍ以下である。
【００１６】
請求項５に記載の発明は、請求項１ないし４のいずれかに記載の吸収性物品であって、前記後部吸収体の前記エッジと前記前部吸収体の前記中央露出領域側のエッジとの間の長手方向の距離が、前記長手方向に垂直な幅方向の中央において５０ｍｍ以上２５０ｍｍ以下である。
【００１７】
請求項６に記載の発明は、請求項１ないし５のいずれかに記載の吸収性物品であって、前記後部吸収体の前記中央露出領域側の前記エッジのほぼ全体が前記バックシートに対して非接合とされる。
【００１８】
請求項７に記載の発明は、請求項１ないし６のいずれかに記載の吸収性物品であって、前記後部吸収体が、幅方向の中央において前記バックシートから離間するコア中央部と、前記コア中央部の前記幅方向の両側において前記バックシートに当接することにより前記コア中央部と前記バックシートとの離間を確保する前記コア中央部よりも厚い一対のコア側部とを備える。
【００１９】
請求項８に記載の発明は、請求項１ないし７のいずれかに記載の吸収性物品であって、前記後部吸収体が、後部吸収コアと、前記後部吸収コアの前記着用者側および前記着用者とは反対側を覆う後部トップシートとを備え、前記前部吸収体が、前部吸収コアと、前記前部吸収コアの前記着用者側および前記着用者とは反対側を覆う前部トップシートとを備え、前記後部トップシートと前記前部トップシートとが、前記開口部の幅方向の両側にて連続している。
【００２１】
請求項９に記載の発明は、請求項１ないし８のいずれかに記載の吸収性物品であって、前記バックシートが、撥水性または不透液性の外装シートと、前記外装シートの内側に積層された親水性シートとを備える。
【００２２】
請求項１０に記載の発明は、請求項１ないし９のいずれかに記載の吸収性物品であって、前記バックシートが、撥水性または不透液性の外装シートと、前記外装シートの内側に積層された高吸収性樹脂層とを備える。
【００２３】
請求項１１に記載の発明は、請求項１ないし１０のいずれかに記載の吸収性物品であって、前記バックシートの幅方向の両側において前記幅方向に垂直な長手方向のほぼ全長に亘って設けられて内側へと立ち上がる一対の側壁部をさらに備える。
【００２４】
請求項１２に記載の発明は、請求項１ないし１１のいずれかに記載の吸収性物品であって、着用者が着用する外装物品の内側に取り付けられる補助吸収具である。
【００２５】
請求項１４に記載の発明は、着用者からの排泄物を受ける吸収性物品であって、着用者の腹側に配置される前部吸収体と、前記着用者の背側に配置される後部吸収体と、前記前部吸収体および前記後部吸収体のそれぞれの外側を覆い、前記前部吸収体と前記後部吸収体との間にて前記着用者の股間部に直接対向する中央露出領域を有し、前記後部吸収体の前記中央露出領域側のエッジの少なくとも中央部を除いて前記後部吸収体の周囲と接合されることにより前記後部吸収体との間に前記中央露出領域を向く開口を有する後部ポケットを形成するバックシートと、前記後部吸収体の幅方向の中央にて前記幅方向に垂直な長手方向に平行に接合され、収縮することにより、前記後部ポケットの前記開口の一部を形成する前記後部吸収体の前記中央露出領域側の前記エッジを前記前部吸収体から離れる方向に引っ張る弾性部材とを備え、前記前部吸収体の前記中央露出領域側のエッジの少なくとも中央部を除いて前記前部吸収体の周囲と前記バックシートとが接合されることにより、前記前部吸収体と前記バックシートとの間に前記中央露出領域を向く開口を有する前部ポケットが形成され、前記前部ポケットの前記開口の一部を形成する前記前部吸収体の前記中央露出領域側の前記エッジが凹状である。
【発明の効果】
【００２６】
本発明では、排泄物を後部ポケットの内部空間へと容易に導くことができる。また、排泄物の収容力を向上するとともに、排泄物を前部ポケットの内部空間へと容易に導くことができる。請求項２の発明では、後部吸収体のエッジを臀部に合わせることにより、吸収性物品の着用者への装着を容易とすることができる。さらに、請求項３および６の発明では、排泄物を後部ポケットの内部空間へとより容易に導くことができる。
【００２７】
請求項７の発明では、後部ポケットの内部空間を維持して後部ポケットの排泄物の収容力低下を抑制することができる。また、請求項８の発明では、排泄物の収容力をさらに向上することができる。
【００２８】
請求項９の発明では、排泄物の水分をバックシート上にて迅速に拡散させて後部ポケットの内部空間へと容易に導くことができる。また、請求項１０の発明では、排泄物の水分をバックシート上にて固定することにより着用者への排泄物の付着を抑制することができる。さらに、請求項１１の発明では、排泄物が脚周りから漏出することを防止することができる。
【発明を実施するための最良の形態】
【００２９】
図１は、本発明の一の実施の形態に係る吸収性物品１を広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００３０】
図１に示すように、吸収性物品１は、平面視において略矩形状である略シート状の本体部２、および、本体部２の幅方向の両側において長手方向のほぼ全長に亘って設けられた一対の側壁部３を備える。吸収性物品１では、側壁部３に設けられた弾性部材３１が収縮することにより、本体部２の側方において側壁部３が着用者側（すなわち、内側）に向かって起立し、着用時に着用者の足の付け根近傍に当接する立体ギャザーが形成される。
【００３１】
側壁部３としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）が利用される。また、弾性部材３１としては、例えば、ポリウレタン糸、帯状のポリウレタンフィルム、糸状または帯状の天然ゴム等が用いられる。
【００３２】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００３３】
図２および図３はそれぞれ、吸収性物品１を、図１中に示す後方部２０３のＡ−Ａの位置、および、前方部２０１のＢ−Ｂの位置にて、吸収性物品１の長手方向（すなわち、図１中の上下方向）に垂直な面で切断した断面図であり、図４は、吸収性物品１を図１中に示すＣ−Ｃの位置にて吸収性物品１の幅方向（すなわち、吸収性物品１の長手方向に垂直な方向であり、図１中の左右方向）に垂直な面で切断した断面図である。
【００３４】
図１ないし図４に示すように、本体部２は、吸収性物品１の着用時に着用者の腹側および背側にそれぞれ配置される略シート状の前部吸収体２１および後部吸収体２２、並びに、前部吸収体２１および後部吸収体２２のそれぞれの外側（すなわち、着用者側とは反対側）を覆うバックシート２３を備える。本体部２では、図１および図４に示すように、中間部２０２において前部吸収体２１と後部吸収体２２との間に開口部２５が形成されており、バックシート２３は、前部吸収体２１と後部吸収体２２との間にて前部吸収体２１および後部吸収体２２から露出して着用者の股間部に直接対向する中央露出領域２３５を有する。
【００３５】
図１、図２および図４に示すように、後部吸収体２２は、略シート状の後部吸収コア２２２、並びに、後部吸収コア２２２の内側および外側（すなわち、着用者側およびその反対側）を覆う後部トップシート２２１を備える。図１中では、後部吸収コア２２２の輪郭を太い破線にて描いている（後述する前部吸収コア２１２においても同様）。
【００３６】
後部吸収コア２２２は、図２に示すように、本体部２の幅にほぼ等しい幅を有する後部第１コア２２２１、および、後部第１コア２２２１の外側（すなわち、バックシート２３側）において後部第１コア２２２１の幅方向の両側に積層される一対の後部第２コア２２２２を備える。後部吸収コア２２２では、一対の後部第２コア２２２２が幅方向に互いに離間して設けられているため、後部吸収コア２２２の幅方向の中央部（すなわち、後部第１コア２２２１のうち一対の後部第２コア２２２２の間の部位であり、以下、「後部コア中央部２２２３」という。）は、後部コア中央部２２２３の両側の一対の部位（すなわち、一対の後部第２コア２２２２、および、後部第１コア２２２１のうち一対の後部第２コア２２２２と重なる部位であり、以下、「後部コア側部２２２４」という。）よりも薄くなっている。
【００３７】
後部吸収コア２２２の後部第１コア２２２１および後部第２コア２２２２はそれぞれ、親水性繊維（例えば、粉砕したパルプ繊維やセルロース繊維）に粒状の吸水性ポリマー（例えば、ＳＡＰ（Super Absorbent Polymer））を混合したものをティッシュペーパーや透液性不織布等の被覆シートにより包み込んで形成され、後部トップシート２２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００３８】
後部トップシート２２１は、図２に示すように、後部吸収コア２２２の着用者側を覆い、後部吸収コア２２２の幅方向の両側のエッジにて着用者側とは反対側（すなわち、外側）へと折り返されて後部吸収コア２２２の外側を覆う。以下の説明では、後部トップシート２２１の内側の部位（すなわち、後部吸収コア２２２の着用者側を覆う部位）を、「後部トップシート上部２２１１」と呼び、後部トップシート２２１の外側の部位（すなわち、後部吸収コア２２２の着用者側とは反対側を覆う部位）を、「後部トップシート下部２２１２」と呼ぶ。
【００３９】
後部トップシート２２１は透液性のシート材料、例えば、親水性繊維により形成された不織布であり、着用者からの排泄物の水分を速やかに捕捉して後部吸収コア２２２へと移動させる。後部トップシート２２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、後部トップシート２２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００４０】
後部吸収体２２では、図４に示すように、後部トップシート上部２２１１と後部トップシート下部２２１２とが、後部吸収コア２２２の長手方向の両側においてホットメルト接着剤等により接合されることにより、後部吸収コア２２２が後部トップシート２２１により包まれる。また、バックシート２３は、図２に示すように、本体部２の幅方向の両側において着用者側へと折り返され、後部吸収コア２２２の幅方向の端部を覆いつつ後部トップシート２２１の着用者側（すなわち、後部トップシート上部２２１１）にホットメルト接着剤等により接合されている。
【００４１】
本体部２では、図４に示すように、後部吸収体２２の中央露出領域２３５側のエッジ２２３（すなわち、長手方向における前部吸収体２１側のエッジ）のほぼ全体が、バックシート２３に対して非接合とされ、当該中央露出領域２３５側のエッジ２２３の非接合部を除く後部吸収体２２の周囲がバックシート２３に接合される。これにより、図４に示す本体部２の後方部２０３において、後部吸収体２２とバックシート２３との間に、中央露出領域２３５を向く開口２７１を有する後部ポケット２７が形成される。後部ポケット２７では、開口２７１の幅が、後部吸収体２２の幅とほぼ等しくなっている。
【００４２】
一方、図１、図３および図４に示す前部吸収体２１は、後部吸収体２２と同様の構造を有し、略シート状の前部吸収コア２１２、並びに、前部吸収コア２１２の内側および外側（すなわち、着用者側およびその反対側）を覆う前部トップシート２１１を備える。図３に示す前部吸収コア２１２は、後部吸収コア２２２（図２参照）と同様に、本体部２の幅にほぼ等しい幅を有する前部第１コア２１２１、および、前部第１コア２１２１の外側（すなわち、バックシート２３側）において前部第１コア２１２１の幅方向の両側に積層される一対の前部第２コア２１２２を備える。
【００４３】
前部吸収コア２１２では、一対の前部第２コア２１２２が幅方向に互いに離間して設けられているため、前部吸収コア２１２の幅方向の中央部である前部コア中央部２１２３が、前部コア中央部２１２３の両側の一対の前部コア側部２１２４よりも薄くなっている。前部吸収コア２１２の前部第１コア２１２１および前部第２コア２１２２は、後部吸収コア２２２の後部第１コア２２２１および後部第２コア２２２２と同様の材料により形成されて同様の構造を有する。
【００４４】
前部トップシート２１１は、図３および図４に示すように、前部吸収コア２１２の着用者側を覆う前部トップシート上部２１１１、および、前部吸収コア２１２の着用者側とは反対側を覆う前部トップシート下部２１１２を備える。前部トップシート２１１は、後部トップシート２２１と同様の材料により、同様の製造方式にて形成される。
【００４５】
前部吸収体２１では、図４に示すように、前部トップシート上部２１１１と前部トップシート下部２１１２とが、前部吸収コア２１２の長手方向の両側においてホットメルト接着剤等により接合されることにより、前部吸収コア２１２が前部トップシート２１１により包まれる。また、バックシート２３は、図３に示すように、本体部２の幅方向の両側において着用者側へと折り返され、前部吸収コア２１２の幅方向の端部を覆いつつ前部トップシート２１１の着用者側（すなわち、前部トップシート上部２１１１）にホットメルト接着剤等により接合されている。
【００４６】
本体部２では、図４に示すように、前部吸収体２１の中央露出領域２３５側のエッジ２１３（すなわち、長手方向における後部吸収体２２側のエッジ）のほぼ全体が、バックシート２３に対して非接合とされ、当該中央露出領域２３５側のエッジ２１３の非接合部を除く前部吸収体２１の周囲がバックシート２３に接合される。これにより、図４に示す本体部２の前方部２０１において、前部吸収体２１とバックシート２３との間に、中央露出領域２３５を向く開口２６１を有する前部ポケット２６が形成される。前部ポケット２６では、開口２６１の幅が、前部吸収体２１の幅とほぼ等しくなっている。
【００４７】
本実施の形態では、図１に示すように、前部トップシート２１１と後部トップシート２２１とは、開口部２５の幅方向の両側にて連続しており、前部吸収コア２１２と後部吸収コア２２２とは、開口部２５の幅方向の両側において長手方向に離間している。また、図２および図３に示すように、一対の側壁部３は、本体部２の幅方向の両側においてバックシート２３の外側（すなわち、着用者側とは反対側）にホットメルト接着剤等を介して接合されている。
【００４８】
吸収性物品１の本体部２は、図１および図２に示すように、後部ポケット２７内の幅方向の両側にて後部吸収体２２とバックシート２３との間に介在して後部吸収体２２を支持することにより後部吸収体２２とバックシート２３とを離間させる一対のコア支持部材２４をさらに備える。一対のコア支持部材２４はそれぞれ、薄い樹脂フィルムの間にエアを閉じ込めたエア緩衝材により形成され、後部吸収体２２よりも高い圧縮性を有する。換言すれば、同じ大きさの圧力が加えられた際の圧縮率は、コア支持部材２４の方が後部吸収体２２よりも大きい。
【００４９】
本実施の形態では、コア支持部材２４として、２枚の長方形の樹脂フィルムを外縁部において貼り合わせ、樹脂フィルム間にエアを充填したエア緩衝材（いわゆる、エアチューブ）が利用される。当該エア緩衝材は、エアが充填される空間（以下、「空気室」という。）を樹脂フィルムの間に１つのみ有し、エア緩衝材の長手方向のおよそ全長に亘って設けられる空気室内のエアの常温時の体積は、空気室の最大容量よりも小さく（好ましくは、空気室の最大容量の２０％以上８０％以下）される。
【００５０】
図１に示すように、コア支持部材２４の長手方向の一端は後部吸収体２２のエッジ２２３近傍に位置しており、本実施の形態では、各コア支持部材２４の長手方向の大きさは１００ｍｍ以上とされる。また、各コア支持部材２４の幅方向の大きさは、本実施の形態では、２０ｍｍ以上５０ｍｍ以下とされる。
【００５１】
本体部２では、一対のコア支持部材２４が、バックシート２３および後部吸収体２２の一方に接合されるとともに他方に対して非接合とされることが好ましく、本実施の形態では、両コア支持部材２４は、バックシート２３に接合されるとともに後部吸収体２２に対して非接合とされる。
【００５２】
本体部２では、図２に示すように、後部ポケット２７内の幅方向の両側に設けられる一対のコア支持部材２４により後部吸収体２２が支持されることにより、一対のコア支持部材２４の間（すなわち、幅方向の中央）における後部吸収体２２とバックシート２３との離間が確保される。また、図３に示すように、前部ポケット２６内の幅方向の両側において、前部吸収体２１の前部コア中央部２１２３よりも厚い一対の前部コア側部２１２４がバックシート２３に当接することにより、一対の前部コア側部２１２４の間（すなわち、幅方向の中央）における前部吸収体２１とバックシート２３との離間が確保される。そして、本体部２の幅方向の中央において、後部ポケット２７の後部吸収体２２とバックシート２３との間の厚さ方向の距離が、前部ポケット２６の前部吸収体２１とバックシート２３との間の厚さ方向の距離よりも大きくなっている。
【００５３】
図１に示すように、後部ポケット２７の開口２７１の一部を形成する（すなわち、開口２７１の着用者側の部分である）後部吸収体２２の中央露出領域２３５側のエッジ２２３は長手方向に関して凹状となっており、幅方向に略平行な本体部２の後方部２０３の端部（すなわち、長手方向におけるバックシート２３の後部吸収体２２側の端部２３７）に対し、幅方向の中央において最も近接している。
【００５４】
また、前部ポケット２６の開口２６１の一部を形成する（すなわち、開口２６１の着用者側の部分である）前部吸収体２１の中央露出領域２３５側のエッジ２１３も、後部吸収体２２のエッジ２２３と同様に、長手方向に関して凹状となっており、幅方向に略平行な本体部２の前方部２０１の端部（すなわち、長手方向におけるバックシート２３の前部吸収体２１側の端部２３６）に対し、幅方向の中央において最も近接している。
【００５５】
このため、後部吸収体２２のエッジ２２３と前部吸収体２１のエッジ２１３との間の長手方向の距離は、幅方向の中央において最大となる。好ましくは、幅方向の中央におけるエッジ２２３とエッジ２１３との間の長手方向の距離（すなわち、開口部２５の後方部２０３側のエッジと前方部２０１側のエッジとの間の長手方向の距離）は、５０ｍｍ以上２５０ｍｍ以下（より好ましくは、１１０ｍｍ以上２１０ｍｍ以下）とされ、本実施の形態では、約１６０ｍｍとされる。また、バックシート２３の後部吸収体２２側の端部２３７と後部吸収体２２のエッジ２２３との間の長手方向の距離は、幅方向の中央において１００ｍｍ以上３００ｍｍ以下とされることが好ましく、より好ましくは、１５０ｍｍ以上２５０ｍｍ以下とされる。
【００５６】
本実施の形態では、後部吸収体２２のエッジ２２３は略Ｖ字状とされ、幅方向の中央におけるエッジ２２３の曲率半径は、エッジ２２３の他の部位の曲率半径よりも小さい。また、エッジ２２３の幅方向の中央近傍の一部は、一対のコア支持部材２４の間に位置している。換言すれば、エッジ２２３の幅方向の中央の部位が、長手方向に関し、両コア支持部材２４の前方部２０１側の端部よりもバックシート２３の端部２３７側に位置している。
【００５７】
後部吸収体２２では、幅方向の中央にて長手方向に平行に伸びる１本の弾性部材２２４が、図２に示すように後部トップシート上部２２１１と後部吸収コア２２２との間に接合されており、弾性部材２２４が収縮することにより、図１に示す後部吸収体２２の中央露出領域２３５側のエッジ２２３が前部吸収体２１から離れる方向に引っ張られる。これにより、弾性部材２２４が設けられない場合に比べて、エッジ２２３がさらに凹状となって前部吸収体２１から離れる。弾性部材２２４としては、例えば、ポリウレタン糸、帯状のポリウレタンフィルム、糸状または帯状の天然ゴム等が用いられ、本実施の形態では、ポリウレタン糸がホットメルト接着剤により後部吸収体２２に接着される。
【００５８】
図２ないし図４に示すように、バックシート２３は、撥水性または不透液性の外装シート２３１、外装シート２３１の内側（すなわち、着用者側）に積層された高吸収性樹脂層２３３、並びに、外装シート２３１および高吸収性樹脂層２３３の内側に積層された親水性シート２３２を備える。
【００５９】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すのを防止する。外装シート２３１にプラスチックフィルムが利用される場合、吸収性物品１の内側のムレを防止して着用者の快適性を向上するという観点からは、透湿性（すなわち、通気性）を有するプラスチックフィルムが利用されることが好ましい。
【００６０】
高吸収性樹脂層２３３は、例えば、ＳＡＰ等の粒状の吸水性ポリマーを外装シート２３１上に散布し、ホットメルト接着剤等により外装シート２３１に接着することにより形成される。また、親水性シート２３２としては、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された親水性の不織布が好ましく利用される。
【００６１】
図１に示す吸収性物品１は、病院等の施設で排泄介護が必要とされる着用者に対して使用されることが多く、ベッド等で横になった状態の着用者（例えば、仰臥位を取る着用者）から排泄された軟便等の排泄物は、前部吸収体２１と後部吸収体２２との間の開口部２５を介してバックシート２３へと向かい、バックシート２３の中央露出領域２３５にて受けられる。中央露出領域２３５にて受けられた排泄物は、開口２７１を介して後部ポケット２７の内部空間へと移動して収容される。
【００６２】
吸収性物品１では、後部吸収体２２のエッジ２２３が凹状とされる（すなわち、開口部２５の後部吸収体２２側のエッジが凹状とされる）ことにより、開口部２５を着用者の排泄部（すなわち、肛門）と対向する位置に確実に位置させることができる。これにより、排泄物をバックシート２３の中央露出領域２３５にて確実に受けることができ、排泄物を後部ポケット２７の内部空間へと容易に導くことが可能となる。その結果、吸収性物品１へと排泄された軟便等の排泄物が着用者の肌に付着することを抑制することができる。
【００６３】
このように、吸収性物品１は、後部ポケット２７により排泄物を確実に収容して保持することにより、排泄物が広い範囲に広がってしまうことを防止することができるため、使い捨ておむつ等の外装物品の内側にて着用者の肌の比較的狭い範囲を覆うとともに容易に交換可能な補助吸収具に特に適している。
【００６４】
吸収性物品１では、また、着用者の排泄部の幅方向の両側に後部吸収体２２のエッジ２２３を位置させることにより、排泄部の幅方向の両側に後部ポケット２７の一部を容易に配置することができる。その結果、排泄物を後部ポケット２７の内部空間へとより容易に導くことが可能となる。
【００６５】
さらに、後部吸収体２２の中央露出領域２３５側のエッジ２２３のほぼ全体がバックシート２３に対して非接合とされ、後部ポケット２７の開口２７１の幅が、吸収性物品１の中間部２０２の幅とほぼ等しくされることにより、排泄物を後部ポケット２７の内部空間へとより一層容易に導くことができる。また、後部吸収体２２の幅方向の中央に、エッジ２２３を前部吸収体２１から離れる方向に引っ張る弾性部材２２４が設けられることにより、開口部２５が長手方向に拡大されて排泄物をさらに確実にバックシート２３の中央露出領域２３５にて受けることができる。これにより、排泄物を後部ポケット２７の内部空間へとさらに容易に導くことが可能となる。
【００６６】
上述のように、吸収性物品１では、幅方向の中央における後部吸収体２２のエッジ２２３と前部吸収体２１のエッジ２１３との間の長手方向の距離（すなわち、開口部２５の後方部２０３側のエッジと前方部２０１側のエッジとの間の長手方向の距離）が、５０ｍｍ以上（より好ましくは、１１０ｍｍ以上）とされることにより、開口部２５の大きさを十分に確保して排泄物をバックシート２３の中央露出領域２３５にて確実に受けることができ、その結果、排泄物が後部ポケット２７の内部空間へとより一層容易に導かれる。また、幅方向の中央におけるエッジ２２３とエッジ２１３との間の長手方向の距離が、２５０ｍｍ以下（より好ましくは、２１０ｍｍ以下）とされることにより、開口部２５が必要以上に大きくなることを防止し、バックシート２３の中央露出領域２３５にて受けられた排泄物が、着用者の肌に広い範囲に亘って付着することが防止される。
【００６７】
さらに、吸収性物品１では、バックシート２３の後部吸収体２２側の端部２３７と後部吸収体２２のエッジ２２３との間の長手方向の距離が、幅方向の中央において３００ｍｍ以下（より好ましくは、２５０ｍｍ以下）とされることにより、本体部２の後方部２０３における開口部２５の大きさを十分に確保して排泄物をバックシート２３の中央露出領域２３５にて確実に受けることができ、その結果、排泄物が後部ポケット２７の内部空間へとより一層容易に導かれる。また、幅方向の中央におけるバックシート２３の端部２３７と後部吸収体２２のエッジ２２３との間の長手方向の距離が、１００ｍｍ以上（より好ましくは、１５０ｍｍ以上）とされることにより、後方部２０３において開口部２５が必要以上に大きくなることを防止し、バックシート２３の中央露出領域２３５にて受けられた排泄物が、着用者の肌に広い範囲に亘って付着することが防止される。
【００６８】
吸収性物品１では、後部吸収体２２のエッジ２２３を着用者の臀部に合わせ、略Ｖ字状のエッジ２２３の幅方向の中央（すなわち、前部吸収体２１からもっとも離れている部位）を着用者の身体の中心線に合わせることにより、吸収性物品１の着用者への装着が容易とされる。
【００６９】
吸収性物品１の後部ポケット２７内では、一対のコア支持部材２４により後部吸収体２２が幅方向の両側にて支持されることにより、一対のコア支持部材２４の間において、後部吸収体２２とバックシート２３との離間が確保される。このため、着用者が仰臥位を取る等して吸収性物品１の後方部２０３に体圧が加わった場合（すなわち、後部ポケット２７に体圧が加わった場合）であっても、後部ポケット２７の開口２７１が体圧により閉じてしまうことを防止し、軟便等の排泄物を後部ポケット２７の内部空間へと容易に導いて収容することができる。
【００７０】
また、後部ポケット２７の内部空間が体圧により押し潰されてしまうことを防止して内部空間の容積を一定以上に維持し、後部ポケット２７の排泄物の収容力低下を抑制することができる。その結果、軟便等が後部ポケット２７内に収容された後に後部ポケット２７に体圧が加わった場合においても、軟便等の排泄物が後部ポケット２７から押し出されて着用者の肌に付着することを抑制することができる。
【００７１】
吸収性物品１の後方部２０３では、後部吸収体２２のエッジ２２３の幅方向における中央近傍の部位が、一対のコア支持部材２４の間に位置することにより、後部吸収体２２の幅方向に関するコア支持部材２４間の部位が、着用者の体圧等によりバックシート２３側に撓むことがより一層抑制される。これにより、後部ポケット２７の開口２７１が体圧により閉じてしまうことが防止され、軟便等の排泄物が後部ポケット２７の内部空間へと容易に導かれて収容される。なお、後部吸収体２２では、エッジ２２３のほぼ全体がコア支持部材２４間に位置していてもよく、エッジ２２３の少なくとも一部が一対のコア支持部材２４の間に位置することにより、後部ポケット２７の開口２７１の閉塞が防止され、排泄物が後部ポケット２７の内部空間へと容易に導かれて収容される。
【００７２】
吸収性物品１では、本体部２の前方部２０１において、前部吸収体２１とバックシート２３との間に前部ポケット２６が形成されることにより、排泄物の収容力がさらに向上される。その結果、排泄時に後部ポケット２７に収容されなかった排泄物を前部ポケット２６に収容することにより、あるいは、吸収性物品１の交換時に後部ポケット２７から流出した排泄物を前部ポケット２６に収容することにより、排泄物が着用者の肌に付着することがさらに抑制される。
【００７３】
また、前部吸収体２１の中央露出領域２３５側のエッジ２１３のほぼ全体がバックシート２３に対して非接合とされ、前部ポケット２６の開口２６１の幅が、吸収性物品１の中間部２０２の幅とほぼ等しくされることにより、排泄物を前部ポケット２６の内部空間へと容易に導くことができる。さらに、吸収性物品１では、前部吸収体２１のエッジ２１３が凹状とされる（すなわち、開口部２５の前部吸収体２１側のエッジが凹状とされる）ことにより、開口部２５を着用者の排泄部と対向する位置により確実に位置させることができるため、排泄物をより確実にバックシート２３の中央露出領域２３５にて受けて前部ポケット２６および後部ポケット２７の内部空間へと容易に導くことが可能となる。
【００７４】
吸収性物品１のバックシート２３では、撥水性または不透液性の外装シート２３１の内側に親水性シート２３２が積層されることにより、バックシート２３の中央露出領域２３５にて受けた排泄物の水分をバックシート２３上にて長手方向に迅速に拡散させ、後部ポケット２７および前部ポケット２６の内部空間へと容易に導くことができる。また、外装シート２３１の内側に高吸収性樹脂層２３３が形成されることにより、排泄物の水分をバックシート２３上にて固定することができるため、着用者の肌への排泄物の付着がさらに抑制される。
【００７５】
吸収性物品１では、本体部２の幅方向の両側に一対の側壁部３が形成されることにより、後部ポケット２７および前部ポケット２６に収容されなかった排泄物が、着用者の脚周りから漏出することを防止することができる。
【００７６】
次に、本発明の第２の実施の形態に係る吸収性物品について説明する。図５は、第２の実施の形態に係る吸収性物品１ａの後方部を示す断面図であり、第１の実施の形態の図２に対応する。図５に示す吸収性物品１ａでは、図２に示す後部第２コア２２２２とは形状が異なる後部第２コア２２２２ａが後部吸収体２２に設けられ、後部吸収体２２とバックシート２３との間に一対のコア支持部材２４（図２参照）は設けられない。吸収性物品１ａのその他の構成は、図１ないし図４に示す吸収性物品１と同様であり、以下の説明において同符号を付す。
【００７７】
図５に示すように、吸収性物品１ａのの後部吸収体２２は、後部吸収コア２２２ａ、並びに、後部吸収コア２２２ａの内側および外側（すなわち、着用者側およびその反対側）を覆う後部トップシート２２１を備える。後部吸収コア２２２ａは、本体部２の幅にほぼ等しい幅を有する後部第１コア２２２１、および、後部第１コア２２２１の外側（すなわち、バックシート２３側）において後部第１コア２２２１の幅方向の両側に積層される一対の後部第２コア２２２２ａを備える。
【００７８】
後部第２コア２２２２ａは、後部第１コア２２２１と同様に、親水性繊維に粒状の吸水性ポリマーを混合したものを被覆シートにより包み込んで形成されており、その形状は長手方向に伸びる柱状とされる。後部第２コア２２２２ａを形成する親水性繊維は、後部第１コア２２２１を形成する親水性繊維よりも高密度となるように圧縮されており、後部第２コア２２２２ａの剛性は後部第１コア２２２１よりも高くなっている。
【００７９】
後部吸収コア２２２ａでは、一対の後部第２コア２２２２ａが幅方向に互いに離間して設けられているため、後部吸収コア２２２ａの幅方向の中央部である後部コア中央部２２２３は、後部コア中央部２２２３の両側の一対の部位である後部コア側部２２２４よりも薄くなっている。
【００８０】
吸収性物品１ａでは、後部吸収体２２の中央露出領域２３５側のエッジ２２３（図１および図４参照）のほぼ全体が、バックシート２３に対して非接合とされ、当該中央露出領域２３５側のエッジ２２３の非接合部を除く後部吸収体２２の周囲がバックシート２３に接合される。これにより、後部吸収体２２とバックシート２３との間に、中央露出領域２３５を向く開口２７１（図１および図４参照）を有する後部ポケット２７が形成される。そして、後部コア中央部２２２３よりも厚い一対の後部コア側部２２２４が、後部コア中央部２２２３の幅方向の両側においてバックシート２３に当接することにより、一対の後部コア側部２２２４の間（すなわち、幅方向の中央）における後部コア中央部２２２３とバックシート２３との離間が確保される。
【００８１】
吸収性物品１ａでは、第１の実施の形態と同様に、前部吸収体２１の前部コア中央部２１２３よりも厚い一対の前部コア側部２１２４（図３参照）が、前部コア中央部２１２３の幅方向の両側においてバックシート２３に当接することにより、一対の前部コア側部２１２４の間（すなわち、幅方向の中央）における前部コア中央部２１２３とバックシート２３との離間が確保される。そして、幅方向の中央において、後部ポケット２７の後部吸収体２２とバックシート２３との間の厚さ方向の距離が、前部ポケット２６（図３参照）の前部吸収体２１とバックシート２３との間の厚さ方向の距離よりも大きくされる。
【００８２】
また、開口部２５（図１参照）に注目すると、第１の実施の形態と同様に、後部吸収体２２のエッジ２２３が凹状とされる（すなわち、開口部２５の後部吸収体２２側のエッジが凹状とされる）ことにより、開口部２５を着用者の排泄部と対向する位置に確実に位置させることができ、さらに、着用者の排泄部の幅方向の両側に後部吸収体２２のエッジ２２３を位置させることができる。これにより、排泄物を後部ポケット２７の内部空間へと容易に導くことが可能となり、その結果、吸収性物品１ａへと排泄された軟便等の排泄物が着用者の肌に付着することを抑制することができる。
【００８３】
後部ポケット２７では、後部吸収体２２の中央露出領域２３５側のエッジ２２３のほぼ全体がバックシート２３に対して非接合とされ、後部ポケット２７の開口２７１の幅が、吸収性物品１ａの中間部２０２の幅とほぼ等しくされることにより、排泄物を後部ポケット２７の内部空間へとより一層容易に導くことができる。
【００８４】
吸収性物品１ａでは、一対の後部コア側部２２２４の間における後部コア中央部２２２３とバックシート２３との離間が確保され、一対の前部コア側部２１２４の間における前部吸収体２１とバックシート２３との離間が確保されることにより、後部ポケット２７または前部ポケット２６に体圧が加わった場合であっても、第１の実施の形態と同様に、後部ポケット２７の開口２７１や前部ポケット２６の開口２６１が体圧により閉じてしまうことを防止し、軟便等の排泄物を後部ポケット２７および前部ポケット２６の内部空間へと容易に導いて収容することができる。
【００８５】
また、第１の実施の形態と同様に、後部ポケット２７および前部ポケット２６の内部空間が体圧により押し潰されてしまうことを防止して内部空間の容積を一定以上に維持し、後部ポケット２７および前部ポケット２６の排泄物の収容力低下を抑制することができる。その結果、軟便等が後部ポケット２７および前部ポケット２６内に収容された後に後部ポケット２７または前部ポケット２６に体圧が加わった場合においても、後部ポケット２７または前部ポケット２６から軟便等の排泄物が押し出されて着用者の肌に付着することを抑制することができる。
【００８６】
第２の実施の形態に係る吸収性物品１ａでは、特に、後部吸収体２２とバックシート２３との離間を確保する構造が、後部吸収コア２２２の一部である一対の後部コア側部２２２４とされる。このように、別部材を設けることなく後部吸収体２２とバックシート２３との離間を確保することにより、吸収性物品１ａの構造を簡素化することができる。
【００８７】
一方、第１の実施の形態に係る吸収性物品１では、後部吸収体２２とバックシート２３との離間を確保する構造が、後部吸収コア２２２とは別部材である一対のコア支持部材２４とされる。これにより、当該離間を確保する部材の材料選択の自由度が高くなるため、後部吸収体２２を確実に支持するとともに吸収性物品１の着用感を向上する（あるいは、着用感の低下を抑制する）材料を適宜選択してコア支持部材２４を形成することができる。その結果、吸収性物品１の着用感を向上（あるいは、維持）しつつ後部ポケット２７の収容力低下がより確実に防止される。
【００８８】
以上、本発明の実施の形態について説明してきたが、本発明は上記実施の形態に限定されるものではなく、様々な変更が可能である。
【００８９】
上記実施の形態に係る吸収性物品では、開口部２５の形状は図１に示す形状には限定されず、例えば、図６．Ａないし図６．Ｄに示す形状とされてもよい。なお、図６．Ａないし図６．Ｄでは、側壁部の図示を省略している。図６．Ａないし図６．Ｄに示す開口部２５ａ〜２５ｄでは、前部吸収体２１のエッジ２１３、および、後部吸収体２２のエッジ２２３の双方が凹状とされ、これにより、排泄物を前部ポケット２６および後部ポケット２７の内部空間へとより容易に導くことが可能とされる。また、後部吸収体２２のエッジ２２３が、少なくとも幅方向の中央部において略Ｖ字状とされることにより、吸収性物品の着用者への装着が容易とされる。
【００９０】
また、吸収性物品では、前部吸収体２１のエッジ２１３は、全体として凹状とされるのであれば、幅方向の中央部以外において、後部吸収体２２に向かう凸状の部位を有していてもよい。後部吸収体２２のエッジ２２３も同様に、全体として凹状とされるのであれば、幅方向の中央部以外において、前部吸収体２１に向かう凸状の部位を有していてもよい。この場合、後部吸収体２２のエッジ２２３の幅方向の中央部における曲率半径が、上記凸状部（すなわち、曲率半径の中心がエッジ２２３を挟んで前部吸収体２１とは反対側に位置する部位）を除く他の部位の曲率半径よりも小さくされることにより、エッジ２２３が略Ｖ字状とされ、吸収性物品の着用者への装着が容易とされる。
【００９１】
後部吸収体２２の幅方向の中央に接合される弾性部材は、必ずしも１本には限定されず、複数の弾性部材が後部吸収体２２に接合されてもよい。例えば、図７．Ａに示すように、２本の弾性部材２２４が後部吸収体２２の幅方向の中央にて長手方向に平行に接合されてもよい。また、図７．Ｂに示すように、３本の弾性部材２２４が、後部吸収体２２のエッジ２２３の幅方向の中央部をおよその中心として、長手方向に略平行かつ放射状に配置されて後部吸収体２２に接合されてもよい。いずれの場合も、幅方向の中央にてエッジ２２３が弾性部材２２４により前部吸収体２１から離れる方向に引っ張られることにより、開口部２５が拡大されて排泄物をさらに確実にバックシート２３の中央露出領域２３５にて受けることができる。これにより、排泄物を後部ポケット２７の内部空間へとさらに容易に導くことが可能となる。
【００９２】
後部ポケット２７では、開口２７１の幅は必ずしも後部吸収体２２の幅とほぼ等しくされる必要はなく、後部吸収体２２の幅よりも小さくされてよい。この場合、後部吸収体２２の周囲が、中央露出領域２３５側のエッジ２２３の少なくとも中央部を除いてバックシート２３に接合されることにより、後部ポケット２７が形成される。また、前部ポケット２６の開口２６１の幅も、前部吸収体２１の幅よりも小さくされてよく、この場合、前部吸収体２１の周囲が、中央露出領域２３５側のエッジ２１３の少なくとも中央部を除いてバックシート２３に接合されることにより、前部ポケット２６が形成される。
【００９３】
本体部２では、前部吸収コア２１２と後部吸収コア２２２とが、開口部２５の幅方向の両側において連続するように設けられてもよい。この場合、開口部２５は、本体部２の中間部２０２において吸収コアに形成された貫通穴となる。また、前部トップシート２１１と後部トップシート２２１とが、開口部２５の幅方向の両側において長手方向に離間していてもよい。さらには、前部トップシート上部２１１１と前部トップシート下部２１１２とが別部材とされてもよく、後部トップシート上部２２１１と後部トップシート下部２２１２とが別部材とされてもよい。
【００９４】
第１の実施の形態に係る吸収性物品１では、後部ポケット２７内に設けられる一対のコア支持部材２４は、必ずしも、上記形状のエア緩衝材により形成される必要はなく、例えば、図８に示すように、シート上に複数の粒状の気泡部（すなわち、空気室）が形成されたエア緩衝材２４１が、バックシート２３と後部吸収体２２との間にて厚さ方向（すなわち、図８中の上下方向）に積層されて長手方向に沿って伸びる略直方体状とされることによりコア支持部材２４ａが形成されてもよい。また、他の様々な部材により、一対のコア支持部材が形成されてもよい。
【００９５】
上記実施の形態に係る吸収性物品では、前部ポケット２６内の幅方向の両側にて前部吸収体２１とバックシート２３との間に介在して前部吸収体２１を支持する一対のコア支持部材が設けられ、当該一対のコア支持部材により、幅方向の中央における前部吸収体２１とバックシート２３との離間が確保されてもよい。
【００９６】
吸収性物品は、例えば、本体部２の前方部２０１および後方部２０３の幅が、中間部２０２の幅よりも大きい形状（いわゆる、砂時計型や瓢箪型）とされてもよく、本体部２の後方部２０３の幅が、前方部２０１および中間部２０２の幅よりも大きい形状（いわゆる、羽子板型）とされてもよい。
【００９７】
上記吸収性物品の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを腰回りで止着して着用するオープンタイプの使い捨ておむつに適用されてよい。
【図面の簡単な説明】
【００９８】
【図１】吸収性物品の平面図である。
【図２】吸収性物品の断面図である。
【図３】吸収性物品の断面図である。
【図４】吸収性物品の断面図である。
【図５】第２の実施の形態に係る吸収性物品の断面図である。
【図６．Ａ】吸収性物品の一部を示す平面図である。
【図６．Ｂ】吸収性物品の一部を示す平面図である。
【図６．Ｃ】吸収性物品の一部を示す平面図である。
【図６．Ｄ】吸収性物品の一部を示す平面図である。
【図７．Ａ】吸収性物品の一部を示す平面図である。
【図７．Ｂ】吸収性物品の一部を示す平面図である。
【図８】吸収性物品の他の例を示す断面図である。
【符号の説明】
【００９９】
１    吸収性物品
３    側壁部
２１    前部吸収体
２２    後部吸収体
２３    バックシート
２６    前部ポケット
２７    後部ポケット
２１３    エッジ
２２３    エッジ
２２４    弾性部材
２３１    外装シート
２３２    親水性シート
２３３    高吸収性樹脂層
２３５    中央露出領域
２６１    開口
２７１    開口
２２２３    後部コア中央部
２２２４    後部コア側部
【図１】
0005027626.tif 000002
【図２】
0005027626.tif 000003
【図３】
0005027626.tif 000004
【図４】
0005027626.tif 000005
【図５】
0005027626.tif 000006
【図６．Ａ】
0005027626.tif 000007
【図６．Ｂ】
0005027626.tif 000008
【図６．Ｃ】
0005027626.tif 000009
【図６．Ｄ】
0005027626.tif 000010
【図７．Ａ】
0005027626.tif 000011
【図７．Ｂ】
0005027626.tif 000012
【図８】
0005027626.tif 000013